(57)【要約】  基地局とユーザ装置とを含む無線通信システムにおけるユーザ装置であって、前記基地局から上り参照信号の送信に用いる無線リソースの割当てを受け付ける受付部と、前記基地局から送信される下り信号の受信品質を測定する測定部と、前記測定部で測定された受信品質が所定の条件を満たす場合に、前記基地局から割当てられる無線リソースを用いて上り参照信号の送信を開始し、前記測定部で測定された受信品質が前記所定の条件を満たさない場合に上り参照信号の送信を停止する、送信部と、を有するユーザ装置を提供する。
2018037837.tif 000002
【特許請求の範囲】
【請求項１】
基地局とユーザ装置とを含む無線通信システムにおけるユーザ装置であって、
前記基地局から上り参照信号の送信に用いる無線リソースの割当てを受け付ける受付部と、
前記基地局から送信される下り信号の受信品質を測定する測定部と、
前記測定部で測定された受信品質が所定の条件を満たす場合に、前記基地局から割当てられる無線リソースを用いて上り参照信号の送信を開始し、前記測定部で測定された受信品質が前記所定の条件を満たさない場合に上り参照信号の送信を停止する、送信部と、
を有するユーザ装置。
【請求項２】
前記基地局から割当てられる無線リソースは、下り信号の受信品質の範囲ごとに異なる無線リソースに対応づけられており、
前記送信部は、前記測定部で測定された受信品質に対応づけられる無線リソースを選択して上り参照信号を送信する、
請求項１に記載のユーザ装置。
【請求項３】
前記送信部は、前記基地局から割当てられる無線リソースを用いて上り参照信号の送信を開始する際に、前記測定部で測定された受信品質を前記基地局に報告する、
請求項１又は２に記載のユーザ装置。
【請求項４】
基地局とユーザ装置とを含む無線通信システムにおけるユーザ装置であって、
前記基地局から上り参照信号の送信に用いる無線リソースの割当てと、上り参照信号を送信する期間とを受け付ける受付部と、
前記上り参照信号を送信する期間の間、前記基地局から割当てられる無線リソースを用いて上り参照信号の送信を送信し、前記上り参照信号を送信する期間以外の期間では、上り参照信号の送信を停止する、送信部と、
を有するユーザ装置。
【請求項５】
基地局とユーザ装置とを含む無線通信システムにおけるユーザ装置が実行する送信方法であって、
前記基地局から上り参照信号の送信に用いる無線リソースの割当てを受け付けるステップと、
前記基地局から送信される下り信号の受信品質を測定するステップと、
前記測定された受信品質が所定の条件を満たす場合に、前記基地局から割当てられる無線リソースを用いて上り参照信号の送信を開始し、前記測定された受信品質が前記所定の条件を満たさない場合に上り参照信号の送信を停止する、ステップと、
を有する送信方法。
【発明の詳細な説明】
【技術分野】
【０００１】
本発明は、ユーザ装置及び送信方法に関する。
【背景技術】
【０００２】
ＬＴＥ（Long Term Evolution）では、システム容量の更なる大容量化、データ伝送速度の更なる高速化、無線区間における更なる低遅延化などを実現するために、５Ｇと呼ばれる無線通信方式の検討が進んでいる。５Ｇでは、１０Ｇｂｐｓ以上のスループットを実現しつつ無線区間の遅延を１ｍｓ以下にするという要求条件を満たすために、様々な無線技術の検討が行われている。５ＧではＬＴＥと異なる無線技術が採用される可能性が高いことから、３ＧＰＰでは、５Ｇをサポートする無線ネットワークを新たな無線ネットワーク（ＮｅｗＲＡＴ：New Radio Access Network）と呼ぶことで、ＬＴＥをサポートする無線ネットワークと区別している。【０００３】
５Ｇでは、ＬＴＥと同様の低い周波数帯から、ＬＴＥよりも更に高い周波数帯までの幅広い周波数を使用することが想定されている。特に、高周波数帯では伝搬ロスが増大することから、それを補うために、ビーム幅の狭いビームフォーミングを適用することが検討されている。
【先行技術文献】
【非特許文献】
【０００４】
【非特許文献１】株式会社ＮＴＴドコモ、ＮＴＴ  ＤＯＣＯＭＯテクニカルジャーナル"５Ｇ無線アクセス技術"、２０１６年１月
【発明の概要】
【発明が解決しようとする課題】
【０００５】
ＬＴＥでは、基地局は、ＲＲＣ接続状態のユーザ装置から報告されるＤＬ（Downlink）の受信品質に基づいてハンドオーバー処理を行っていた。一方、５Ｇでは、高い周波数帯を利用してビームフォーミングを行うことから、ＬＴＥよりもハンドオーバー処理を高速かつ高頻度で行う必要があると考えられる。そこで、５Ｇでは、ハンドオーバー処理を行うために基地局側で把握すべきユーザ装置の無線品質を、ＵＬ（Uplink）参照信号を複数の基地局で受信して測定することが提案されている。【０００６】
ところで、現在のＬＴＥでは、ユーザ装置ＵＥがＵＬ参照信号を送信する際の送信方法として、周期的にＵＬ参照信号を送信する周期的ＳＲＳ（Periodic Sounding Reference Signal）と、基地局から指示された時にＵＬ参照信号を送信する非周期的ＳＲＳ（Aperiodic Sounding Reference Signal）とが規定されている。【０００７】
無線品質を測定する場合、参照信号を複数回受信して平均値を算出することが一般的である。しかしながら、周期的ＳＲＳをそのまま適用すると、ユーザ装置はＵＬ参照信号を常に送信することになり、ユーザ装置の消費電力が増加してしまう。一方、非周期的ＳＲＳでは、基地局は、１回のＳＲＳ送信に対して１つのＤＣＩ（Downlink Control Information）をユーザ装置に送信する必要がある。そうすると、基地局は、ユーザ装置ＵＥからＳＲＳを複数回送信させるために何度もＤＣＩを送信することになり、ＤＬのシグナリング量が膨大になる可能性がある。つまり、現在のＬＴＥで規定されているＵＬ参照信号の送信方法を５Ｇにそのまま適用することは、ハンドオーバー処理の高速化等を鑑みると効率的ではないという問題がある。【０００８】
開示の技術は上記に鑑みてなされたものであって、ユーザ装置と基地局とを有する無線通信システムにおいて、ＵＬ参照信号の送信を効率的に行うことを可能とする技術を提供することを目的とする。
【課題を解決するための手段】
【０００９】
開示の技術のユーザ装置は、基地局とユーザ装置とを含む無線通信システムにおけるユーザ装置であって、前記基地局から上り参照信号の送信に用いる無線リソースの割当てを受け付ける受付部と、前記基地局から送信される下り信号の受信品質を測定する測定部と、前記測定部で測定された受信品質が所定の条件を満たす場合に、前記基地局から割当てられる無線リソースを用いて上り参照信号の送信を開始し、前記測定部で測定された受信品質が前記所定の条件を満たさない場合に上り参照信号の送信を停止する、送信部と、を有する。
【発明の効果】
【００１０】
開示の技術によれば、ユーザ装置と基地局とを有する無線通信システムにおいて、ＵＬ参照信号の送信を効率的に行うことを可能とする技術が提供される。
【図面の簡単な説明】
【００１１】
【図１】実施の形態に係る無線通信システムの構成例を示す図である。
【図２】実施の形態に係る無線通信システムが行う処理手順（その１）の一例を示すシーケンス図である。
【図３】ＵＬ参照信号の送信及び送信停止を判定する動作の一例を示すフローチャートである。
【図４】ＵＬ参照信号の送信に用いられる無線リソースの具体例を示す図である。
【図５】測定報告を送信する際の動作の一例を示すフローチャートである。
【図６】実施の形態に係る無線通信システムが行う処理手順（その２）の一例を示すシーケンス図である。
【図７】実施の形態に係る基地局の機能構成の一例を示す図である。
【図８】実施の形態に係るユーザ装置の機能構成の一例を示す図である。
【図９】実施の形態に係る基地局及びユーザ装置のハードウェア構成の一例を示す図である。
【発明を実施するための形態】
【００１２】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、若しくは９に対応する通信方式のみならず、３ＧＰＰのリリース１０、１１、１２、１３、若しくはリリース１４以降に対応するシステム、又は５Ｇの通信方式も含む広い意味で使用する。以下の説明において「リソース」とは、無線リソースを示す意味で使用する。
【００１３】
＜システム構成＞
図１は、実施の形態に係る無線通信システムの構成例を示す図である。図１に示すように、実施の形態に係る無線通信システムは、基地局１０とユーザ装置ＵＥとを有する。基地局１０とユーザ装置ＵＥとは、図１には、基地局１０とユーザ装置ＵＥとが１つずつ示されているが、これは例であり、それぞれ複数であってもよい。
【００１４】
ユーザ装置ＵＥは、基地局１０から割当てられるリソースを用いてＵＬ参照信号を送信する。また、ユーザ装置ＵＥは、所定の条件に従ってＵＬ参照信号の送信及び送信停止を切替える。ユーザ装置ＵＥが送信するＵＬ参照信号は、ＬＴＥで規定されているＳＲＳ（Sounding Reference Signal）と同一の系列（ＣＡＺＡＣ系列）を有する参照信号であってもよいし、ＳＲＳとは異なる系列を有する参照信号（ＮｅｗＲＡＴで新たに規定される参照信号を含む）であってもよい。
【００１５】
基地局１０は、各ユーザ装置に、ＵＬ参照信号の送信に用いられるリソースの割当てを行うと共に、ユーザ装置ＵＥから送信されるＵＬ参照信号を測定する機能を有する。基地局１０は、１つのセルを管理していてもよいし、複数のセルを管理していてもよい。
【００１６】
ユーザ装置ＵＥ及び基地局１０は、ＣＡ（Carrier Aggregation、キャリアアグリゲーション）を行うことが可能である。また、ＣＡにはＤＣ（Dual Connectivity）を含む。
【００１７】
＜処理手順（その１）＞
図２は、実施の形態に係る無線通信システムが行う処理手順（その１）の一例を示すシーケンス図である。
【００１８】
ステップＳ１１において、基地局１０は、ＵＬ参照信号の送信に用いられるリソースをユーザ装置ＵＥに割当てる。例えば、基地局１０は、「ＵＬ参照信号用のリソースを示す情報」をＲＲＣ（Radio Resource Configuration）シグナリングを用いてユーザ装置ＵＥに設定することで、リソースの割当てを行う。「ＵＬ参照信号用のリソースを示す情報」には、例えば、ＵＬ参照信号を送信可能な時間リソース（サブフレーム番号、無線フレーム番号、送信間隔など）及び周波数リソース（帯域幅、周波数位置など）などが含まれる。
【００１９】
ステップＳ１２において、ユーザ装置ＵＥは、所定の条件に従ってＵＬ参照信号の送信及び送信停止を切替える。ステップＳ１２においてユーザ装置ＵＥが行う動作を図３に示す。
【００２０】
図３は、ＵＬ参照信号の送信及び送信停止を判定する動作の一例を示すフローチャートである。まず、ユーザ装置ＵＥは、ＤＬ信号の受信品質を測定し、測定された受信品質が所定の条件を満たしているか否かを判定する（Ｓ２１）。
【００２１】
ユーザ装置ＵＥが測定するＤＬ信号は、同期信号（例えば、ＰＳＳ（Primary Synchronization Signal）、ＳＳＳ（Secondary Synchronization Signal））、セル固有のＤＬ参照信号（例えば、ＣＲＳ（Cell specific Reference Signal））、及び／又は、ＵＥ固有のＤＬ参照信号（例えば、ＣＳＩ−ＲＳ（Channel State Information- Reference Signal）、ＤＭ−ＲＳ（Demodulation- Reference Signal））でもよい。ユーザ装置ＵＥが測定するＤＬ信号は、これらに限定されず、ＮｅｗＲＡＴ向けに新たに規定される参照信号であってもよい。例えば、ＮｅｗＲＡＴでは、ＵＥ固有のＤＬ参照信号としてビームフォーミング制御用の参照信号が新たに規定されることが想定される。
【００２２】
また、ユーザ装置ＵＥが測定するＤＬ信号の受信品質は、例えば、ＲＳＲＰ（Reference Signal Received Power）、ＲＳＲＱ（Reference Signal Received Quality）、ＲＳ−ＳＩＮＲ（Reference Signal-Signal to Interference plus Noise power Ratio）、又は、ＣＱＩ（Channel Quality Indicator）でもよい。また、ユーザ装置ＵＥが測定する受信品質は、これらに限定されず、ＮｅｗＲＡＴ向けに新たに規定される測定指標であってもよい。
【００２３】
続いて、測定したＤＬ信号の受信品質が所定の条件を満たしている場合、ユーザ装置ＵＥは、基地局１０から割当てられたリソースを用いてＵＬ参照信号の送信を開始する（Ｓ２２）。測定したＤＬ信号の受信品質が所定の条件を満たしていないと判定した場合、ユーザ装置ＵＥは、ＵＬ参照信号の送信を停止する（Ｓ２３）。
【００２４】
（具体例について）
続いて、図３のフローチャートに従い、ユーザ装置ＵＥがＵＬ参照信号の送信及び送信停止を判定する動作の具体例を説明する。
【００２５】
［具体例（その１）］
サービングセル（Serving Cell）のＤＬ信号の受信品質からが閾値より大きい（又は以上）場合（Ｓ２１−Ｙｅｓ）、ＵＬ参照信号の送信を開始する（Ｓ２２）。一方、サービングセルのＤＬ信号の受信品質が閾値より小さい（又は以下）場合（Ｓ２１−Ｎｏ）、ＵＬ参照信号の送信を停止する（Ｓ２３）。
【００２６】
より詳細には、ユーザ装置ＵＥは、ＤＬ信号の受信品質が以下の式１−１を満たす場合にＵＬ参照信号の送信を開始し、ＤＬ信号の受信品質が以下の式１−２を満たす場合にＵＬ参照信号の送信を停止するようにしてもよい。
【００２７】
Ｍｓ−Ｈｙｓ  ＞  閾値  （式１−１）
Ｍｓ＋Ｈｙｓ  ＜  閾値  （式１−２）
「Ｍｓ」はＤＬ信号の受信品質を示す。「Ｈｙｓ」はヒステリシス（Hysteresis）を示す。本実施の形態では、ヒステリシスを設けることで、ＤＬ信号の受信品質が閾値に近い値である場合に、ＵＬ参照信号の送信及び停止が頻繁に切り替わることがないようにする（他の具体例も同様）。ヒステリシスは正の値でも負の値でもよいが、本実施の形態では正の値が好適である。
【００２８】
具体例（その１）によれは、ユーザ装置ＵＥは、サービングセルの中心方向に位置する場合にＵＬ参照信号を送信し、セル端方向に位置する場合にＵＬ参照信号の送信を停止することができる。
【００２９】
［具体例（その２）］
サービングセルのＤＬ信号の受信品質が閾値より小さい（又は以下）場合（Ｓ２１−Ｙｅｓ）、ＵＬ参照信号の送信を開始する（Ｓ２２）。一方、サービングセルのＤＬ信号の受信品質が閾値より大きい（又は以上）である場合（Ｓ２１−Ｎｏ）、ＵＬ参照信号の送信を停止する（Ｓ２３）。
【００３０】
より詳細には、ユーザ装置ＵＥは、ＤＬ信号の受信品質が以下の式２−１を満たす場合にＵＬ参照信号の送信を開始し、ＤＬ信号の受信品質が以下の式２−２を満たす場合にＵＬ参照信号の送信を停止するようにしてもよい。
【００３１】
Ｍｓ＋Ｈｙｓ  ＜  閾値  （式２−１）
Ｍｓ−Ｈｙｓ  ＞  閾値  （式２−２）
「Ｍｓ」はＤＬ信号の受信品質を示す。「Ｈｙｓ」はヒステリシスを示す。
【００３２】
具体例（その１）によれは、ユーザ装置ＵＥは、サービングセルのセル端方向に位置する場合にＵＬ参照信号を送信し、セル中心方向に位置する場合にＵＬ参照信号の送信を停止することができる。
【００３３】
［具体例（その３）］
隣接セル（Neighbor Cell）のＤＬ信号の受信品質が、サービングセルのＤＬ信号の受信品質より大きい（又は以上）場合（Ｓ２１−Ｙｅｓ）、ＵＬ参照信号の送信を開始する（Ｓ２２）。一方、隣接セルのＤＬ信号の受信品質が、サービングセルのＤＬ信号の受信品質より小さい（又は以下）場合（Ｓ２１−Ｎｏ）、ＵＬ参照信号の送信を停止する（Ｓ２３）。
【００３４】
より詳細には、ユーザ装置ＵＥは、以下の式３−１を満たす場合にＵＬ参照信号の送信を開始し、以下の式３−２を満たす場合にＵＬ参照信号の送信を停止するようにしてもよい。
【００３５】
Ｍｎ＋Ｏｆｎ＋Ｏｃｎ−Ｈｙｓ  ＞  Ｍｐ＋Ｏｆｐ＋Ｏｃｐ＋Ｏｆｆ  （式３−１）
Ｍｎ＋Ｏｆｎ＋Ｏｃｎ＋Ｈｙｓ  ＜  Ｍｐ＋Ｏｆｐ＋Ｏｃｐ＋Ｏｆｆ  （式３−２）
「Ｍｎ」は隣接セルのＤＬ信号の受信品質を示す。「Ｏｆｎ」は、隣接セルの周波数に対する周波数固有オフセット値を示す。「Ｏｃｎ」は、隣接セルに対するセル固有オフセット値を示す。「Ｍｐ」はサービングセルのＤＬ信号の受信品質を示す。「Ｏｆｐ」は、サービングセルの周波数に対する周波数固有オフセット値を示す。「Ｏｃｐ」は、サービングセルに対するセル固有オフセット値を示す。「Ｈｙｓ」はヒステリシスを示す。「Ｏｆｆ」は任意のオフセット値を示す。具体例（その３）において、サービングセルは、ＰＣｅｌｌ又はＰＳＣｅｌｌ（ＤＣが行われる場合）であってもよい。
【００３６】
具体例（その３）によれは、ユーザ装置ＵＥは、サービングセルよりも隣接セルの受信品質が良好である場合にＵＬ参照信号を送信し、隣接セルよりもサービングセルの受信品質が良好である場合にＵＬ参照信号の送信を停止することができる。
【００３７】
［具体例（その４）］
隣接セルのＤＬ信号の受信品質が閾値より大きい（又は以上）場合（Ｓ２１−Ｙｅｓ）、ＵＬ参照信号の送信を開始する（Ｓ２２）。一方、隣接セルのＤＬ信号の受信品質が閾値より小さい（又は以下）場合（Ｓ２１−Ｎｏ）、ＵＬ参照信号の送信を停止する（Ｓ２３）。
【００３８】
より詳細には、ユーザ装置ＵＥは、ＤＬ信号の受信品質が以下の式４−１を満たす場合にＵＬ参照信号の送信を開始し、ＤＬ信号の受信品質が以下の式４−２を満たす場合にＵＬ参照信号の送信を停止するようにしてもよい。
【００３９】
Ｍｎ＋Ｏｆｎ＋Ｏｃｎ−Ｈｙｓ  ＞  閾値  （式４−１）
Ｍｎ＋Ｏｆｎ＋Ｏｃｎ＋Ｈｙｓ  ＜  閾値  （式４−２）
「Ｍｎ」は隣接セルのＤＬ信号の受信品質を示す。「Ｏｆｎ」は、隣接セルの周波数に対する周波数固有オフセット値を示す。「Ｏｃｎ」は、隣接セルに対するセル固有オフセット値を示す。「Ｈｙｓ」はヒステリシスを示す。
【００４０】
具体例（その４）によれは、ユーザ装置ＵＥは、隣接セルに近い場所に位置する場合にＵＬ参照信号を送信し、隣接セルから遠い場所に位置する場合にＵＬ参照信号の送信を停止することができる。
【００４１】
［具体例（その５）］
サービングセルのＤＬ信号の受信品質が第一の閾値より小さい（又は以下）場合であり、かつ、隣接セルのＤＬ信号の受信品質が第二の閾値より大きい（又は以上）場合（Ｓ２１−Ｙｅｓ）、ＵＬ参照信号の送信を開始する（Ｓ２２）。
【００４２】
一方、サービングセルのＤＬ信号の受信品質が第一の閾値より大きい（又は以上）場合、又は、隣接セルのＤＬ信号の受信品質が第二の閾値より小さい（又は以下）場合（Ｓ２１−Ｎｏ）、ＵＬ参照信号の送信を停止する（Ｓ２３）。
【００４３】
より詳細には、ユーザ装置ＵＥは、ＤＬ信号の受信品質が以下の式５−１及び式５−２の両方を満たす場合にＵＬ参照信号の送信を開始し、ＤＬ信号の受信品質が以下の式５−３又は式５−４を満たす場合にＵＬ参照信号の送信を停止するようにしてもよい。
【００４４】
Ｍｐ＋Ｈｙｓ  ＜  第一の閾値  （式５−１）
Ｍｎ＋Ｏｆｎ＋Ｏｃｎ−Ｈｙｓ  ＞  第二の閾値  （式５−２）
Ｍｐ−Ｈｙｓ  ＞  第一の閾値  （式５−３）
Ｍｎ＋Ｏｆｎ＋Ｏｃｎ＋Ｈｙｓ  ＜  第二の閾値  （式５−４）
「Ｍｐ」はサービングセルのＤＬ信号の受信品質を示す。「Ｍｎ」は隣接セルのＤＬ信号の受信品質を示す。「Ｏｆｎ」は、隣接セルの周波数に対する周波数固有オフセット値を示す。「Ｏｃｎ」は、隣接セルに対するセル固有オフセット値を示す。「Ｈｙｓ」はヒステリシスを示す。具体例（その５）において、サービングセルは、ＰＣｅｌｌ又はＰＳＣｅｌｌ（ＤＣが行われる場合）であってもよい。
【００４５】
具体例（その５）によれは、ユーザ装置ＵＥは、サービングセルの中で隣接セルに近い場所に位置する場合にＵＬ参照信号を送信し、サービングセルの中で隣接セルから遠い場所に位置する場合にＵＬ参照信号を停止することができる。
【００４６】
［具体例（その６）］
隣接セルのＤＬ信号の受信品質が、セカンダリセル（ＣＡ／ＤＣにおけるＳＣｅｌｌ）のＤＬ信号の受信品質より大きい（又は以上）場合（Ｓ２１−Ｙｅｓ）、ＵＬ参照信号の送信を開始する（Ｓ２２）。一方、隣接セルのＤＬ信号の受信品質が、セカンダリセルのＤＬ信号の受信品質より小さい（又は以下）場合（Ｓ２１−Ｎｏ）、ＵＬ参照信号の送信を停止する（Ｓ２３）。
【００４７】
より詳細には、ユーザ装置ＵＥは、以下の式６−１を満たす場合にＵＬ参照信号の送信を開始し、以下の式６−２を満たす場合にＵＬ参照信号の送信を停止するようにしてもよい。
【００４８】
Ｍｎ＋Ｏｃｎ−Ｈｙｓ  ＞  Ｍｓ＋Ｏｃｓ＋Ｏｆｆ  （式６−１）
Ｍｎ＋Ｏｃｎ＋Ｈｙｓ  ＜  Ｍｓ＋Ｏｃｓ＋Ｏｆｆ  （式６−２）
「Ｍｎ」は隣接セルのＤＬ信号の受信品質を示す。「Ｏｃｎ」は、隣接セルに対するセル固有オフセット値を示す。「Ｍｓ」はセカンダリセルのＤＬ信号の受信品質を示す。「Ｏｃｓ」は、セカンダリセルに対するセル固有オフセット値を示す。「Ｈｙｓ」はヒステリシスを示す。「Ｏｆｆ」は任意のオフセット値を示す。
【００４９】
具体例（その６）によれは、ＣＡ／ＤＣを実行しているユーザ装置ＵＥは、セカンダリセルよりも隣接セルの受信品質が良好である場合にＵＬ参照信号を送信し、隣接セルよりもセカンダリセルの受信品質が良好である場合にＵＬ参照信号を停止することができる。
【００５０】
［具体例（その７）］
ＵＥ固有のＤＬ参照信号（ＣＳＩ−ＲＳ、ＤＭ−ＲＳ、ビームフォーミング制御用の参照信号など）の受信品質が閾値より大きい（又は以上）場合（Ｓ２１−Ｙｅｓ）、ＵＬ参照信号の送信を開始する（Ｓ２２）。一方、ＵＥ固有のＤＬ参照信号の受信品質が閾値より小さい（又は以下）場合（Ｓ２１−Ｎｏ）、ＵＬ参照信号の送信を停止する（Ｓ２３）。
【００５１】
より詳細には、ユーザ装置ＵＥは、ＵＥ固有のＤＬ参照信号の受信品質が以下の式７−１を満たす場合にＵＬ参照信号の送信を開始し、ＵＥ固有のＤＬ参照信号の受信品質が以下の式７−２を満たす場合にＵＬ参照信号の送信を停止するようにしてもよい。
【００５２】
Ｍｃｒ＋Ｏｃｒ−Ｈｙｓ  ＞  閾値  （式７−１）
Ｍｃｒ＋Ｏｃｒ＋Ｈｙｓ  ＜  閾値  （式７−２）
「Ｍｃｒ」はＵＥ固有のＤＬ参照信号の受信品質を示す。「Ｏｃｒ」はＵＥ固有のＤＬ参照信号に固有のオフセット値を示す。「Ｈｙｓ」はヒステリシスを示す。
【００５３】
具体例（その７）によれは、ユーザ装置ＵＥは、ＵＥ固有のＤＬ参照信号を利用し、セルの中心方向に位置する場合にＵＬ参照信号を送信し、セル端方向に位置する場合にＵＬ参照信号の送信を停止することができる。
【００５４】
［具体例（その８）］
ＵＥ固有のＤＬ参照信号（ＣＳＩ−ＲＳ、ＤＭ−ＲＳ、ビームフォーミング制御用の参照信号など）の受信品質が閾値より小さい（又は以下）場合（Ｓ２１−Ｙｅｓ）、ＵＬ参照信号の送信を開始する（Ｓ２２）。一方、ＵＥ固有のＤＬ参照信号の受信品質が閾値より大きい（又は以上）場合（Ｓ２１−Ｎｏ）、ＵＬ参照信号の送信を停止する（Ｓ２３）。
【００５５】
より詳細には、ユーザ装置ＵＥは、ＵＥ固有のＤＬ参照信号の受信品質が以下の式８−１を満たす場合にＵＬ参照信号の送信を開始し、ＵＥ固有のＤＬ参照信号の受信品質が以下の式８−２を満たす場合にＵＬ参照信号の送信を停止するようにしてもよい。
【００５６】
Ｍｃｒ＋Ｏｃｒ＋Ｈｙｓ  ＜  閾値  （式８−１）
Ｍｃｒ＋Ｏｃｒ−Ｈｙｓ  ＞  閾値  （式８−２）
「Ｍｃｒ」はＵＥ固有のＤＬ参照信号の受信品質を示す。「Ｏｃｒ」はＵＥ固有のＤＬ参照信号に固有のオフセット値を示す。「Ｈｙｓ」はヒステリシスを示す。
【００５７】
具体例（その８）によれは、ユーザ装置ＵＥは、ＵＥ固有のＤＬ参照信号を利用し、セル端方向に位置する場合にＵＬ参照信号を送信し、セル中心方向に位置する場合にＵＬ参照信号の送信を停止することができる。
【００５８】
［具体例（その９）］
ＵＥ固有のＤＬ参照信号の受信品質が、基準（reference）とするＵＥ固有のＤＬ参照信号の受信品質より大きい（又は以上）場合（Ｓ２１−Ｙｅｓ）、ＵＬ参照信号の送信を開始する（Ｓ２２）。一方、ＵＥ固有のＤＬ参照信号の受信品質が、基準とするＵＥ固有のＤＬ参照信号の受信品質より小さい（又は以下）場合（Ｓ２１−Ｎｏ）、ＵＬ参照信号の送信を停止する（Ｓ２３）。
【００５９】
より詳細には、ユーザ装置ＵＥは、以下の式９−１を満たす場合にＵＬ参照信号の送信を開始し、以下の式９−２を満たす場合にＵＬ参照信号の送信を停止するようにしてもよい。
【００６０】
Ｍｃｒ＋Ｏｃｒ−Ｈｙｓ  ＞  Ｍｒｅｆ＋Ｏｒｅｆ＋Ｏｆｆ  （式９−１）
Ｍｃｒ＋Ｏｃｒ＋Ｈｙｓ  ＜  Ｍｒｅｆ＋Ｏｒｅｆ＋Ｏｆｆ  （式９−２）
「Ｍｃｒ」はＵＥ固有のＤＬ参照信号の受信品質を示す。「Ｏｃｒ」はＵＥ固有のＤＬ参照信号に固有のオフセット値を示す。「Ｍｒｅｆ」は基準とするＵＥ固有のＤＬ参照信号の受信品質を示す。「Ｏｒｅｆ」は基準とするＵＥ固有のＤＬ参照信号に固有のオフセット値を示す。「Ｈｙｓ」はヒステリシスを示す。「Ｏｆｆ」は任意のオフセット値を示す。なお、基準とするＵＥ固有のＤＬ参照信号とは、基地局１０から送信される複数のＵＥ固有のＤＬ参照信号のうち特定のリソースで送信されるＵＥ固有のＤＬ参照信号を意図しており、当該特定のリソースの位置は、基地局１０からユーザ装置ＵＥに予め通知（設定）されている。
【００６１】
具体例（その９）によれは、ユーザ装置ＵＥは、ＵＥ固有のＤＬ参照信号を利用し、基準とするＵＥ固有のＤＬ参照信号の受信品質よりもＵＥ固有のＤＬ参照信号の受信品質が大きい場合にＵＬ参照信号を送信し、ＵＥ固有のＤＬ参照信号の受信品質よりも基準とするＵＥ固有のＤＬ参照信号の受信品質が大きい場合にＵＬ参照信号を停止することができる。
【００６２】
［各具体例についての補足事項について］
ユーザ装置ＵＥは、ＤＬ信号の受信品質が"所定の期間"継続して所定の条件を満たす場合に（つまり、式１−１、式２−１、式３−１、式４−１、式５−１、式６−１、式７−１、式８−１、又は、式９−１を"所定の期間"継続して満たす場合に）ＵＬ参照信号の送信を開始するようにしてもよい。同様に、ユーザ装置ＵＥは、ＤＬ信号の受信品質が"所定の期間"継続して所定の条件を満たしていない（つまり、式１−２、式２−２、式３−２、式４−２、式５−２、式６−２、式７−２、式８−２、又は、式９−２を"所定の期間"継続して満たす場合に）にＵＬ参照信号の送信を停止するようにしてもよい。所定の期間は、トリガ時間（Time to trigger）と呼ばれてもよい。所定の期間は、図２のステップＳ１１の処理手順を用いて、基地局１０からユーザ装置ＵＥに通知（設定）されてもよい。これにより、ＵＬ参照信号の送信及び停止が頻繁に切り替わることを防止することができる。
【００６３】
各具体例における各種パラメータ（Ｈｙｓ、Ｏｆｎ、Ｏｃｎ、Ｏｆｐ、Ｏｃｐ、Ｏｆｆ、Ｏｃｓ、Ｍｃｒ、Ｏｃｒ、Ｍｒｅｆ、Ｏｒｅｆ、閾値）は、図２のステップＳ１１の処理手順を用いて、基地局１０からユーザ装置ＵＥに通知（設定）されてもよい。各具体例における各種パラメータは、各具体例で共通の値が通知（設定）されてもよいし、各具体例で異なる値が通知（設定）されてもよい。
【００６４】
ユーザ装置ＵＥは、上記複数の具体例のうち任意の具体例を自律的に選択して実行するようにしてもよい。また、ユーザ装置ＵＥは、以下に示す複数の具体例のうち、基地局１０から指示された具体例を実行するようにしてもよい。当該指示は、図２のステップＳ１１の処理手順を用いて行われてもよい。
【００６５】
（ＵＬ参照信号を送信するリソースについて）
図３で説明したように、基地局１０は、ユーザ装置ＵＥに、ＵＬ参照信号の送信に用いられるリソースの割当てを行う。また、ユーザ装置ＵＥは、基地局１０から割当てられたリソースでＵＬ参照信号を送信する。
【００６６】
ここで、基地局１０がユーザ装置ＵＥに割当てる周波数方向のリソースの具体例を、図４を用いて説明する。なお、図４（ａ）では、帯域の上下にＰＵＣＣＨ（Physical Uplink Control Channel）が割当てられるチャネル構成が図示されているが、あくまで一例でありこれに限定されるものではない。
【００６７】
基地局１０は、セル内でＵＬ参照信号用に利用可能な所定の帯域（例えば図４のBandwidth1）に、ＵＬ参照信号用のリソースを割当てるようにしてもよいし、一部の帯域（例えば図４のBandwidth2）に、ＵＬ参照信号用のリソースを割当てるようにしてもよい。また、基地局１０は、図４（ｂ）に示すように、１サブキャリアおきに（つまり、くし状に）リソースを割当てるようにすることで、２つのリソース（例えばリソース「Ａ」及びリソース「Ｄ」）を周波数多重させるようにしてもよい。また、基地局１０は、ユーザ装置ＵＥごとに異なる巡回シフト（位相回転）量を指定することで、同一リソースに複数のＵＬ参照信号を符号多重させる（例えばリソース「Ｄ」、リソース「Ｅ」及びリソース「Ｆ」）ようにしてもよい。
【００６８】
図４に示すリソースの割当てを行う場合、基地局１０は、ユーザ装置ＵＥに、ＵＬ参照信号用のリソースとして、帯域幅及び周波数位置、くしの形状を特定する情報（奇数番目のサブキャリアなのか、又は偶数番目のサブキャリアなのかを示す情報）、巡回シフト量を通知（設定）する。
【００６９】
以上説明した処理手順（その１）によれば、ユーザ装置ＵＥは、常時ＵＬ参照信号を送信するのではなく、所定の条件を満たす場合に限ってＵＬ参照信号を送信する。これにより、ユーザ装置ＵＥは、ＵＬ参照信号の送信を効率的に行うことが可能になる。また、ユーザ装置ＵＥの消費電力を削減することが出来ると共に、シグナリング量を削減することが可能になる。
【００７０】
＜処理手順（その１）の変形例１＞
続いて、処理手順（その１）の変形例１を説明する。処理手順（その１）の変形例１では、基地局１０は、ユーザ装置ＵＥに、ＵＬ参照信号用のリソースを複数割当てると共に、当該複数のリソースの各々についてＤＬ信号の受信品質の範囲ごとに異なるリソースを対応づけるようにする。また、ユーザ装置ＵＥは、測定されたＤＬ信号の受信品質に対応づけられるリソースを選択してＵＬ参照信号を送信する。
【００７１】
具体的には、例えば、ユーザ装置ＵＥは、ＤＬ信号の受信品質が−９０ｄＢｍ以上かつ−８０ｄＢｍ未満の場合はリソース１を選択してＵＬ参照信号を送信し、−１００ｄＢｍ以上かつ−９０ｄＢｍ未満の場合はリソース２を選択してＵＬ参照信号を送信するようにしてもよい。
【００７２】
更に、図４を用いて具体例を説明する。例えば、ユーザ装置ＵＥは、ＤＬ信号の受信品質が−９０ｄＢｍ以上かつ−８０ｄＢｍ未満の場合はリソース「Ａ」を選択してＵＬ参照信号を送信し、−１００ｄＢｍ以上かつ−９０ｄＢｍ未満の場合はリソース「Ｂ」を選択してＵＬ参照信号を送信し、−１１０ｄＢｍ以上かつ−１００ｄＢｍ未満の場合はリソース「Ｃ」を選択してＵＬ参照信号を送信し、−１２０ｄＢｍ以上かつ−１１０ｄＢｍ未満の場合はリソース「Ｄ」を選択してＵＬ参照信号を送信し、−１３０ｄＢｍ以上かつ−１２０ｄＢｍ未満の場合はリソース「Ｅ」を選択してＵＬ参照信号を送信し、−１４０ｄＢｍ以上かつ−１３０ｄＢｍ未満の場合はリソース「Ｆ」を選択してＵＬ参照信号を送信するようにしてもよい。
【００７３】
なお、前述の具体例のうち、具体例（その３）、具体例（その５）、具体例（その６）、及び具体例（その９）では、ユーザ装置ＵＥは、複数のＤＬ信号の受信品質を測定している。そこで、「処理手順（その１）の変形例１」を前述の具体例と組み合わせる場合、基地局１０は、複数のＤＬ信号の受信品質のうち、リソースの選択に用いるＤＬ信号の受信品質をユーザ装置ＵＥに指示（設定）するようにしてもよい。当該指示は、図２のステップＳ１１の処理手順を用いて行われてもよい。
【００７４】
例えば、具体例（その３）及び具体例（その５）では、ユーザ装置ＵＥは、隣接セル及びサービングセルのうち、基地局１０から指示されたセルのＤＬ信号の受信品質を用いてリソースを選択するようにしてもよい。同様に、具体例（その６）では、ユーザ装置ＵＥは、隣接セル及びセカンダリセルのうち、基地局１０から指示されたセルのＤＬ信号の受信品質を用いてリソースを選択するようにしてもよい。同様に、具体例（その９）では、ユーザ装置ＵＥは、ＵＥ固有のＤＬ参照信号及び基準とするＵＥ固有のＤＬ参照信号のうち、基地局１０から指示されたＤＬ参照信号の受信品質を用いてリソースを選択するようにしてもよい。
【００７５】
以上説明した処理手順（その１）の変形例１によれば、基地局１０は、ＵＬ参照信号を受信することで、ユーザ装置ＵＥで測定されたＤＬ信号の受信品質の範囲を把握することが可能になる。
【００７６】
＜処理手順（その１）の変形例２＞
ユーザ装置ＵＥは、基地局１０から割当てられるリソースでＵＬ参照信号の送信を開始する際に、測定したＤＬ信号の受信品質を基地局１０に報告するようにしてもよい。図５は、測定報告を送信する際の動作の一例を示すフローチャートである。図５のうち、図３と同一の処理手順については同一の符号を付して説明は省略する。
【００７７】
ユーザ装置ＵＥは、ＵＬ参照信号の送信を開始する際に、ステップＳ２１で測定したＤＬの受信品質を含む測定報告（Measurement Report）を基地局１０に送信（報告）する（Ｓ２４）。なお、ユーザ装置ＵＥは、ＵＬ参照信号を送信している間（つまり、ＵＬ参照信号の送信を停止するまでの間）、周期的に測定報告を基地局１０に送信（報告）するようにしてもよい。
【００７８】
これにより、基地局１０は、ユーザ装置ＵＥで測定されたＤＬ信号の受信品質を詳細に把握することが可能になる。
【００７９】
＜処理手順（その２）＞
前述したように、従来のＬＴＥにおける非周期的ＳＲＳでは、基地局１０は、１回のＳＲＳ送信に対して１つのＤＣＩをユーザ装置ＵＥに送信する必要がある。そこで、処理手順（その２）では、基地局１０は、一定の期間の間、ＵＬ参照信号を送信するようにユーザ装置ＵＥに指示することを可能にしてもよい。
【００８０】
図６は、実施の形態に係る無線通信システムが行う処理手順（その２）の一例を示すシーケンス図である。
【００８１】
ステップＳ３１において、基地局１０は、ユーザ装置ＵＥに、ＵＬ参照信号の送信に用いるリソースを割当てる。具体的なリソース割当て方法は、処理手順（その１）のステップＳ１１の処理手順と同一でよい。
【００８２】
ステップＳ３２において、基地局１０は、ＵＬ参照信号の送信開始を指示する情報（以下、「送信指示」と呼ぶ）をユーザ装置ＵＥに送信する。送信指示は、ＰＤＣＣＨ（Physical Downlink Control Chanel）を用いて送信されてもよい。つまり、送信指示は、ＤＣＩの一部であってもよい。
【００８３】
当該送信指示には、ＵＬ参照信号を送信すべき期間が含まれていてもよい。例えば、ＵＬ参照信号を送信すべき期間は、２ビットを用いて「００＝１秒」、「０１＝２秒」、「１０＝５秒」、「１１＝１０秒」を意味するように予め定義されていてもよい。また、基地局１０は、ＲＲＣシグナリング又は報知情報（ブロードキャスト情報）を用いて、予め参照信号を送信すべき期間をユーザ装置ＵＥに通知（設定）しておき、ユーザ装置ＵＥは、ステップＳ３２で送信指示を受信した場合に、予め通知（設定）された期間の間、ＵＬ参照信号を送信するようにしてもよい。
【００８４】
以上説明した処理手順（その２）によれば、ユーザ装置ＵＥは、常時ＵＬ参照信号を送信するのではなく、基地局１０から指示された期間の間に限ってＵＬ参照信号を送信する。これにより、ユーザ装置ＵＥは、ＵＬ参照信号の送信を効率的に行うことが可能になる。また、ユーザ装置ＵＥの消費電力を削減することが出来ると共に、シグナリング量を削減することが可能になる。
【００８５】
＜機能構成＞
（基地局）
図７は、実施の形態に係る基地局の機能構成の一例を示す図である。図７に示すように、基地局１０は、信号送信部１０１と、信号受信部１０２と、割当部１０３と、測定部１０４とを有する。なお、図７は、基地局１０において本発明の実施の形態に特に関連する機能部のみを示すものであり、ＬＴＥ（５Ｇを含む）に準拠した動作を行うための図示しない機能も有するものである。また、図７に示す機能構成は一例に過ぎない。本実施の形態に係る動作を実行できるのであれば、機能区分及び機能部の名称はどのようなものでもよい。
【００８６】
信号送信部１０１は、基地局１０から送信されるべき上位のレイヤの信号から、物理レイヤの各種信号を生成し、無線送信する機能を含む。信号受信部１０２は、ユーザ装置ＵＥから各種の無線信号を受信し、受信した物理レイヤの信号からより上位のレイヤの信号を取得する機能を含む。
【００８７】
割当部１０３は、ＵＬ参照信号を送信可能な時間リソース（サブフレーム番号、無線フレーム番号、送信間隔など）及び周波数リソース（帯域幅、周波数位置など）等を、ＲＲＣシグナリングを用いてユーザ装置ＵＥに通知（設定）することで、ＵＬ参照信号の送信に用いるリソースをユーザ装置ＵＥに割当てる。
【００８８】
測定部１０４は、ユーザ装置ＵＥから送信されるＵＬ参照信号の測定を行う。測定部１０４で測定された測定結果は、ハンドオーバーをユーザ装置ＵＥに指示すべきか否かの判断などに用いられる。
【００８９】
（ユーザ装置）
図８は、実施の形態に係るユーザ装置の機能構成の一例を示す図である。図８に示すように、ユーザ装置ＵＥは、信号送信部２０１と、信号受信部２０２と、受付部２０３と、測定部２０４とを有する。なお、図８は、ユーザ装置ＵＥにおいて本発明の実施の形態に特に関連する機能部のみを示すものであり、少なくともＬＴＥ（５Ｇを含む）に準拠した動作を行うための図示しない機能も有するものである。また、図８に示す機能構成は一例に過ぎない。本実施の形態に係る動作を実行できるのであれば、機能区分及び機能部の名称はどのようなものでもよい。
【００９０】
信号送信部２０１は、ユーザ装置ＵＥから送信されるべき上位のレイヤの信号から、物理レイヤの各種信号を生成し、無線送信する機能を含む。信号受信部２０２は、基地局１０から各種の信号を無線受信し、受信した物理レイヤの信号からより上位のレイヤの信号を取得する機能を含む。
【００９１】
また、信号送信部２０１は、測定部２０４で測定されたＤＬ信号の受信品質が所定の条件を満たす場合に、基地局１０から割当てられる無線リソースを用いてＵＬ参照信号の送信を開始し、測定部２０４で測定されたＤＬ信号の受信品質が所定の条件を満たさない場合にＵＬ参照信号の送信を停止する。信号送信部２０１には、ＵＬ参照信号の送信及び送信停止を判定する判定部が含まれていてもよい。
【００９２】
また、基地局１０から割当てられる無線リソースは、ＤＬ信号の受信品質の範囲ごとに異なる無線リソースに対応づけられており、信号送信部２０１は、測定部２０４で測定されたＤＬ信号の受信品質に対応づけられる無線リソースを選択してＵＬ参照信号を送信するようにしてもよい。
【００９３】
また、信号送信部２０１は、基地局１０から割当てられる無線リソースを用いてＵＬ参照信号の送信を開始する際に、測定部２０４で測定されたＤＬ信号の受信品質を基地局１０に報告するようにしてもよい。
【００９４】
また、信号送信部２０１は、予め基地局１０から指示された「ＵＬ参照信号を送信する期間」の間、前記基地局から割当てられる無線リソースを用いて上り参照信号の送信を送信し、当該「上り参照信号を送信する期間」以外の期間では、上り参照信号の送信を停止するようにしてもよい。
【００９５】
受付部２０３は、基地局１０から、ＵＬ参照信号の送信に用いる無線リソースの割当てを受け付ける。また、受付部２０３は、基地局１０から、ＵＬ参照信号の送信に用いる無線リソースの割当てと、ＵＬ参照信号を送信する期間とを受け付けるようにしてもよい。
【００９６】
測定部２０４は、基地局１０から送信されるＤＬ信号の受信品質を測定する。測定部２０４は、ＤＬ信号の受信品質として、ＲＳＲＰ、ＲＳＲＱ、ＲＳ−ＳＩＮＲ、及び／又は、ＣＱＩを測定するようにしてもよい。
【００９７】
＜ハードウェア構成＞
上記実施の形態の説明に用いたブロック図（図７及び図８）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００９８】
例えば、実施の形態における基地局１０、ユーザ装置ＵＥなどは、本発明の送信方法の処理を行うコンピュータとして機能してもよい。図９は、実施の形態に係る基地局及びユーザ装置のハードウェア構成の一例を示す図である。上述の基地局１０及びユーザ装置ＵＥは、物理的には、プロセッサ１００１、メモリ１００２、ストレージ１００３、通信装置１００４、入力装置１００５、出力装置１００６、バス１００７などを含むコンピュータ装置として構成されてもよい。
【００９９】
なお、以下の説明では、「装置」という文言は、回路、デバイス、ユニットなどに読み替えることができる。基地局１０及びユーザ装置ＵＥのハードウェア構成は、図に示した各装置を１つ又は複数含むように構成されてもよいし、一部の装置を含まずに構成されてもよい。
【０１００】
基地局１０及びユーザ装置ＵＥにおける各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【０１０１】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、基地局１０の信号送信部１０１、信号受信部１０２、割当部１０３及び測定部１０４、ユーザ装置ＵＥの信号送信部２０１、信号受信部２０２、受付部２０３、及び、測定部２０４は、プロセッサ１００１で実現されてもよい。
【０１０２】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、基地局１０の信号送信部１０１、信号受信部１０２、割当部１０３及び測定部１０４、ユーザ装置ＵＥの信号送信部２０１、信号受信部２０２、受付部２０３、及び、測定部２０４は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【０１０３】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る送信方法を実施するために実行可能なプログラム（プログラムコード）、ソフトウェアモジュールなどを保存することができる。
【０１０４】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【０１０５】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、基地局１０の信号送信部１０１、及び、信号受信部１０２、ユーザ装置ＵＥの信号送信部２０１、及び、信号受信部２０２は、通信装置１００４で実現されてもよい。
【０１０６】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【０１０７】
また、プロセッサ１００１及びメモリ１００２などの各装置は、情報を通信するためのバス１００７で接続される。バス１００７は、単一のバスで構成されてもよいし、装置間で異なるバスで構成されてもよい。
【０１０８】
また、基地局１０及びユーザ装置ＵＥは、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１０９】
＜まとめ＞
以上、実施の形態によれば、基地局とユーザ装置とを含む無線通信システムにおけるユーザ装置であって、前記基地局から上り参照信号の送信に用いる無線リソースの割当てを受け付ける受付部と、前記基地局から送信される下り信号の受信品質を測定する測定部と、前記測定部で測定された受信品質が所定の条件を満たす場合に、前記基地局から割当てられる無線リソースを用いて上り参照信号の送信を開始し、前記測定部で測定された受信品質が前記所定の条件を満たさない場合に上り参照信号の送信を停止する、送信部と、を有するユーザ装置が提供される。このユーザ装置ＵＥによれば、ユーザ装置ＵＥと基地局１０とを有する無線通信システムにおいて、ＵＬ参照信号の送信を効率的に行うことを可能とする技術が提供される。
【０１１０】
また、前記基地局から割当てられる無線リソースは、下り信号の受信品質の範囲ごとに異なる無線リソースに対応づけられており、前記送信部は、前記測定部で測定された受信品質に対応づけられる無線リソースを選択して上り参照信号を送信するようにしてもよい。これにより、基地局１０は、ＵＬ参照信号を受信することで、ユーザ装置ＵＥで測定されたＤＬ信号の受信品質の範囲を把握することが可能になる。
【０１１１】
また、前記送信部は、前記基地局から割当てられる無線リソースを用いて上り参照信号の送信を開始する際に、前記測定部で測定された受信品質を前記基地局に報告するようにしてもよい。これにより、基地局１０は、ユーザ装置ＵＥで測定されたＤＬ信号の受信品質を詳細に把握することが可能になる。
【０１１２】
また、実施の形態によれば、基地局とユーザ装置とを含む無線通信システムにおけるユーザ装置であって、前記基地局から上り参照信号の送信に用いる無線リソースの割当てと、上り参照信号を送信する期間とを受け付ける受付部と、前記上り参照信号を送信する期間の間、前記基地局から割当てられる無線リソースを用いて上り参照信号の送信を送信し、前記上り参照信号を送信する期間以外の期間では、上り参照信号の送信を停止する、送信部と、を有するユーザ装置が提供される。このユーザ装置ＵＥによれば、ユーザ装置ＵＥと基地局１０とを有する無線通信システムにおいて、ＵＬ参照信号の送信を効率的に行うことを可能とする技術が提供される。
【０１１３】
また、実施の形態によれば、基地局とユーザ装置とを含む無線通信システムにおけるユーザ装置が実行する送信方法であって、前記基地局から上り参照信号の送信に用いる無線リソースの割当てを受け付けるステップと、前記基地局から送信される下り信号の受信品質を測定するステップと、前記測定された受信品質が所定の条件を満たす場合に、前記基地局から割当てられる無線リソースを用いて上り参照信号の送信を開始し、前記測定された受信品質が前記所定の条件を満たさない場合に上り参照信号の送信を停止する、ステップと、を有する送信方法が提供される。この送信方法によれば、ユーザ装置ＵＥと基地局１０とを有する無線通信システムにおいて、ＵＬ参照信号の送信を効率的に行うことを可能とする技術が提供される。
【０１１４】
＜実施形態の補足＞
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【０１１５】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１１６】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１１７】
本明細書において基地局によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード(例えば、MMEまたはS-GWなどが考えられるが、これらに限られない)によって行われ得ることは明らかである。上記において基地局以外の他のネットワークノードが１つである場合を例示したが、複数の他のネットワークノードの組み合わせ(例えば、MMEおよびS-GW)であってもよい。
【０１１８】
本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０１１９】
基地局１０は、１つまたは複数（例えば、３つ）の（セクタとも呼ばれる）セルを収容することができる。基地局１０が複数のセルを収容する場合、基地局１０のカバレッジエリア全体は複数のより小さいエリアに区分でき、各々のより小さいエリアは、基地局サブシステム（例えば、屋内用の小型基地局ＲＲＨ：Ｒｅｍｏｔｅ  Ｒａｄｉｏ  Ｈｅａｄ）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」「ｅＮＢ」、「セル」、および「セクタ」という用語は、本明細書では互換的に使用され得る。基地局は、固定局（fixed station）、ＮｏｄｅＢ、ｅＮｏｄｅＢ（ｅＮＢ）、アクセスポイント（access point）、フェムトセル、スモールセルなどの用語で呼ばれる場合もある。
【０１２０】
ユーザ装置ＵＥは、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１２１】
参照信号は、ＲＳ（Reference Signal）と略称することもでき、適用される標準によって、パイロット信号（Pilot Signal）又はパイロット（Pilot）と呼ばれてもよい。
【０１２２】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１２３】
本明細書で使用する「第一の」、「第二の」などの呼称を使用した要素へのいかなる参照も、それらの要素の量または順序を全般的に限定するものではない。これらの呼称は、２つ以上の要素間を区別する便利な方法として本明細書で使用され得る。したがって、第一および第二の要素への参照は、２つの要素のみがそこで採用され得ること、または何らかの形で第一の要素が第二の要素に先行しなければならないことを意味しない。
【０１２４】
「含む（ｉｎｃｌｕｄｅ）」、「含んでいる（ｉｎｃｌｕｄｉｎｇ）」、およびそれらの変形が、本明細書あるいは特許請求の範囲で使用されている限り、これら用語は、用語「備える（ｃｏｍｐｒｉｓｉｎｇ）」と同様に、包括的であることが意図される。さらに、本明細書あるいは特許請求の範囲において使用されている用語「または（or）」は、排他的論理和ではないことが意図される。
【０１２５】
本開示の全体において、例えば、英語でのa, an, 及びtheのように、翻訳により冠詞が追加された場合、これらの冠詞は、文脈から明らかにそうではないことが示されていなければ、複数のものを含むものとする。
【０１２６】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１２７】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１２８】
判定又は判断は、１ビットで表される値（０か１か）によって行われてもよいし、真偽値（Boolean：trueまたはfalse）によって行われてもよいし、数値の比較（例えば、所定の値との比較）によって行われてもよい。
【０１２９】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。
【０１３０】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１３１】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１３２】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は他の装置へ送信されてもよい。
【０１３３】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１３４】
本特許出願は２０１６年８月２６日に出願した日本国特許出願第２０１６−１６６１９８号に基づきその優先権を主張するものであり、日本国特許出願第２０１６−１６６１９８号の全内容を本願に援用する。
【符号の説明】
【０１３５】
ＵＥ  ユーザ装置
１０  基地局
１０１  信号送信部
１０２  信号受信部
１０３  割当部
１０４  測定部
２０１  信号送信部
２０２  信号受信部
２０３  受付部
２０４  測定部
１００１  プロセッサ
１００２  メモリ
１００３  ストレージ
１００４  通信装置
１００５  入力装置
１００６  出力装置
【図１】
2018037837.tif 000003
【図２】
2018037837.tif 000004
【図３】
2018037837.tif 000005
【図４】
2018037837.tif 000006
【図５】
2018037837.tif 000007
【図６】
2018037837.tif 000008
【図７】
2018037837.tif 000009
【図８】
2018037837.tif 000010
【図９】
2018037837.tif 000011
【国際調査報告】
2018037837.tif 000012
2018037837.tif 000013
2018037837.tif 000014
2018037837.tif 000015